(57)【要約】【課題】本発明の目的は、止水性と施工性の向上を同時に図ることのできるパネルユニットを提供することにある。【解決手段】パネルユニット１０ａ，１０ｂはそれぞれ固定材１８ａ，１８ｂ、受け材２０ａ，２０ｂ、パネル１２ａ，１２ｂを備え、またパネルユニット１０ａ，１０ｂ間に止水キャップ２２を備え、該固定材１８ａは該基礎１６に設けられ、ジョイント部２４ａ及び該ジョイント部２４ａの縁に沿って設けられた突起部２６ａを含み、該受け材２０ａは該固定材１８ａに設けられ、パネル１２ａを支持し、該止水キャップ２２は、該固定材１８ａの突起部２６ａ、固定材１８ｂの突起部２６ｂ、及び該固定材１８ａ，１８ｂ間の間隙２８を覆うように設けられ、該固定材１８ａの突起部２６ａの側壁、及び固定材１８ｂの突起部２６ｂの側壁をそれぞれしっかり挟持する挟持部３０を含むことを特徴とするパネルユニット１０。【選択図】      図１
2005139726.tif 000002
【特許請求の範囲】
【請求項１】
基礎に複数枚のパネルをオープンジョイントで設ける際に用いられるパネルユニットにおいて、
前記各パネルユニットは、それぞれ固定材、受け材及びパネルを備え、また隣り合うパネルユニットとパネルユニットの間には止水キャップを備え、
前記固定材は、前記基礎に設けられ、該固定材の周囲に設けられたジョイント部、及び該ジョイント部の縁部に沿って該基礎より離隔する方向に設けられた突起部を含み、
前記受け材は、前記固定材に設けられ、隣り合うパネルユニットのパネルと間隙をおいて、自身のパネルを支持し、
前記止水キャップは、隣り合う一方の固定材の突起部、他方の固定材の突起部、及び該一方の固定材と他方の固定材の間に生じるであろう間隙を覆うように該隣り合う固定材に跨って設けられ、該一方の固定材の突起部の相対向する側壁、及び他方の固定材の突起部の相対向する側壁をそれぞれしっかり挟持する挟持部を含むことを特徴とするパネルユニット。
【請求項２】
請求項１記載のパネルユニットにおいて、前記固定材と前記受け材の間に設けられ、該固定材と該受け材の間をぴったり密着させる止水パッキンを備えたことを特徴とするパネルユニット。
【請求項３】
請求項１又は２記載のパネルユニットにおいて、前記止水キャップは、弾性をもつ略管体で構成され、略管体の側壁の長手方向に沿って前記突起部の差込口となるスリットが形成された本体を含み、
また前記挟持部は、前記本体内壁にて、前記スリットと対向する位置に設けられ、該本体内を一方の突起部側と他方の突起部側に仕切る仕切部、及び前記スリットを形成する本体の側壁に相当する接触部を含み、
前記止水キャップは、前記固定材への装着時、その突起部に接触し弾性変形し、本体の一方側の接触部及び仕切部の一方側で、一方の固定材の突起部の相対向する側壁をしっかり挟持し、かつ本体の他方側の接触部及び仕切部の他方側で、他方の固定材の突起部の相対向する側壁をしっかり挟持することを特徴とするパネルユニット。
【請求項４】
請求項３記載のパネルユニットにおいて、前記止水キャップは、前記本体の内壁にて、前記接触部よりも奥に設けられた本体側ヒレ状体を備え、
前記止水キャップを前記固定材に装着する際、前記本体の接触部、及び前記本体側ヒレ状体の先端部が、前記固定材の突起部の側壁に接触し弾性変形することを特徴とするパネルユニット。
【請求項５】
請求項４記載のパネルユニットにおいて、前記止水キャップは、前記本体側ヒレ状体が、前記本体の内壁にて、その先端部を前記突起部の進入方向に傾けて設けられており、
前記止水キャップを前記固定材に装着する際、前記本体側ヒレ状体の先端部が前記突起部の側壁に接触し前記突起部の進入方向に弾性変形し、
前記止水キャップの装着完了時、前記本体側ヒレ状体は、その先端部が前記突起部の進入方向に弾性変形した状態で、前記固定材の突起部の側壁にぴったり密着していることを特徴とするパネルユニット。
【請求項６】
請求項５記載のパネルユニットにおいて、前記止水キャップは、前記仕切部の両側に対してそれぞれ、先端部を前記突起部の進入方向に傾けて設けられた仕切側ヒレ状体を備え、
前記止水キャップを前記固定材に装着する際、前記仕切側ヒレ状体の先端部が前記突起部の側壁に接触し、前記突起部の進入方向に弾性変形し、
前記止水キャップの装着完了時、前記仕切側ヒレ状体は、その先端部が前記突起部の進入方向に弾性変形した状態で、前記固定材の突起部の側壁にぴったり密着していることを特徴とするパネルユニット。
【請求項７】
請求項１〜６のいずれかに記載のパネルユニットにおいて、前記固定材の突起部の側壁に設けられた固定材側段部と、
前記止水キャップの内壁にて、該止水キャップの前記固定材の突起部への装着完了時、前記固定材側段部とかみ合う位置に設けられたキャップ側段部と、
を備えたことを特徴とするパネルユニット。
【発明の詳細な説明】
【技術分野】
【０００１】
本発明はパネルユニット、特に止水機構の改良に関する。
【背景技術】
【０００２】
従来、外壁、屋根等に複数のパネルを設ける際、隣り合うパネルとパネルの間（目地）には、雨水等の進入を防ぐためにシーリング材を充填するのが一般的であった。
これに対し、最近はシーリング材を用いないオープンジョイントが注目されている（例えば特許文献１）。これはパネルの目地をシーリング材で密閉せずに間隙をあけておき別途、止水対策を行っている。
例えば特許文献１では、各パネルユニットの外周囲にリング状のパッキンを設け、隣り合うパネルユニットのパッキンを側壁方向にしっかりつき合せることで、隣り合うパネルユニットとパネルユニットの間の止水を試みるものである。
【特許文献１】特開平７−３９２１号公報
【発明の開示】
【発明が解決しようとする課題】
【０００３】
しかしながら、前記オープンジョイントであっても、止水性のより一層の改善が望まれると共に、施工性も改善の余地が残されていた。しかしながら、従来は、これを同時に解決することのできる適切な技術が存在しなかった。
すなわち、前記特許文献１等では、隣り合うパッキン同士を、しっかり側壁方向につき合せて設けることで隣り合うパネルユニット間を止水している。
このため止水性を高めるためには隣り合うパネルユニットの間隙を詰めることが考えられるが、施工が難しくなる。一方、施工性を高めるためには隣り合うパネルユニットの間隙を広げることが考えられるが、隣り合うパッキンの間に間隙が生じ、雨水等が進入してしまうことがある。特にパネルユニットの施工面積が大きく、多くのパネルユニットを施工する際、これらの問題は、より深刻となる。
本発明は前記従来技術の課題に鑑みなされたものであり、その目的は止水性の向上と施工性の向上を同時に図ることのできるパネルユニットを提供することにある。
【課題を解決するための手段】
【０００４】
前記目的を達成するために本発明にかかるパネルユニットは、基礎に複数枚のパネルをオープンジョイントで設ける際に用いられるパネルユニットにおいて、
前記各パネルユニットは、それぞれ固定材、受け材及びパネルを備える。また隣り合うパネルユニットとパネルユニットの間には止水キャップを備える。
前記固定材は、前記基礎に設けられ、該固定材の周囲に設けられたジョイント部、及び該ジョイント部の縁部に沿って該基礎より離隔する方向に設けられた突起部を含む。
前記受け材は、前記固定材に設けられ、隣り合うパネルユニットのパネルと間隙をおいて、自身のパネルを支持する。
前記止水キャップは、隣り合う一方の固定材の突起部、他方の固定材の突起部、及び該一方の固定材と他方の固定材の間に生じるであろう間隙を覆うように該隣り合う固定材に跨って装着され、挟持部を備えることを特徴とする。
【０００５】
ここで、前記挟持部は、前記一方の固定材の突起部の相対向する側壁、及び他方の固定材の突起部の相対向する側壁をそれぞれしっかり挟持する。
なお、本発明においては、止水パッキンを備えることが好適である。
ここで、前記止水パッキンは、前記固定材と前記受け材の間に設けられ、該固定材と該受け材の間をぴったり密着させる。
本発明において、前記止水キャップは、弾性をもつ略管体で構成された本体を含む。また前記挟持部は、仕切部と、接触部と、を含む。前記止水キャップは、前記固定材への装着時、その突起部に接触し弾性変形する。前記本体の一方側の接触部及び前記仕切部の一方側で、一方の固定材の突起部の相対向する側壁をしっかり挟持する。かつ前記本体の他方側の接触部及び仕切部の他方側で、他方の固定材の突起部の相対向する側壁をしっかり挟持することが好適である。
【０００６】
ここで、前記本体は、略管体の側壁の長手方向に沿って前記突起部の差込口となるスリットが形成されている。
また前記仕切部は、前記本体内壁にて、前記スリットと対向する位置に設けられ、該本体内を一方の突起部側と他方の突起部側に仕切る。
前記接触部は、前記スリットを形成する本体の側壁に相当する。
本発明において、前記止水キャップは、本体側ヒレ状体を備える。該止水キャップを前記固定材に装着する際、前記本体の接触部及び前記本体側ヒレ状体の先端部が固定材の突起部の側壁に接触し弾性変形することが好適である。
【０００７】
ここで、前記本体側ヒレ状体は、前記本体の内壁にて、前記接触部よりも奥に設けられている。
本発明において、前記本体側ヒレ状体が、前記本体内壁にて、その先端部を突起部の進入方向に傾けて設けられている。前記止水キャップを前記固定材に装着する際、前記本体側ヒレ状体の先端部が前記突起部の側壁に接触し前記突起部の進入方向に弾性変形する。前記止水キャップの装着完了時、前記本体側ヒレ状体は、その先端部が前記突起部の進入方向に弾性変形した状態で、前記固定材の突起部の側壁にぴったり密着していることが好適である。
【０００８】
本発明において、前記止水キャップは、前記仕切部の両側に対してそれぞれ、先端部を前記突起部の進入方向に傾けて設けられた仕切側ヒレ状体を備える。前記止水キャップを前記固定材に装着する際、前記仕切側ヒレ状体の先端部が前記突起部の側壁に接触し前記突起部の進入方向に弾性変形する。前記止水キャップの装着完了時、前記仕切側ヒレ状体は、その先端部が前記突起部の進入方向に弾性変形した状態で、前記固定材の突起部の側壁にぴったり密着していることが好適である。
本発明においては、前記固定材の突起部の側壁に設けられた固定材側段部と、前記止水キャップの内壁にて、前記止水キャップの前記固定材への装着完了時、前記固定材側段部とかみ合う位置に設けられたキャップ側段部と、を備えることが好適である。
【発明の効果】
【０００９】
本発明にかかるパネルユニットによれば、固定材のジョイント部に設けられた突起部と、隣り合う固定材の突起部の側壁をそれぞれしっかり挟持する挟持部を含む止水キャップを備えることとしたので、止水性の向上と施工性の向上を同時に図ることができる。
また本発明においては、固定材と受け材との間に止水パッキンを設けることにより、固定材と受け材の間の止水性を高めることができる。
また本発明において、止水キャップは弾性をもち、装着時、止水キャップが固定材の側壁に接触し弾性変形することにより、止水性の向上と施工性の向上を、より図ることができる。
【００１０】
また本発明において、止水キャップはヒレ状体を備えることにより、止水性の向上と施工性の向上を、より図ることができる。
また本発明においては、固定材の突起部の側壁と止水キャップの内壁に、互いにかみ合う段部を設けることにより、止水性の向上と施工性の向上を、より図ることができる。
【発明を実施するための最良の形態】
【００１１】
以下、図面に基づいて本発明の好適な一実施例について説明する。
【実施例１】
【００１２】
図１には本発明の一実施例にかかるパネルユニットの概略構成が示されている。なお、同図（Ａ）はパネルユニットの施工例、同図（Ｂ）はオープンジョイント付近の縦断面図である。
同図に示すパネルユニット１０ａ〜１０ｄは、それぞれ基礎にパネル１２ａ〜１２ｄをオープンジョイントで設ける際に用いられる。躯体１４にタテ材やヨコ材等の基礎１６が設けられ、基礎１６に複数個のパネルユニット１０ａ〜１０ｄが設けられる。隣り合うパネルユニット１０ａ〜１０ｄの間は、オープンジョイントで設けられる。
パネルユニット１０ａ〜１０ｄは、それぞれパネル固定枠材（固定材）１８（同図（Ｂ）中、１８ａ，１８ｂ）、パネル受け材（受け材）２０（同図（Ｂ）中、２０ａ，２０ｂ）、及びパネル１２ａ〜１２ｄを備える。隣り合うパネルユニット１０ａ〜１０ｄの間には、それぞれ止水キャップ２２が設けられる。
【００１３】
前記パネル固定枠材１８ａは、例えばアルミ等の金属で構成され、基礎１６に設けられ、該パネル固定枠材１８ａの周囲に設けられたジョイント部２４ａ、及び該ジョイント部２４ａの縁部に沿って、該基礎１６より離隔する方向に設けられた突起部２６ａを含む。前記パネルユニット１０ｂ〜１０ｄの各パネル固定枠材も、前記パネル固定枠材１８ａと同様の構成としている。
前記パネル受け材２０ａは、例えばアルミ等の金属で構成され、パネル固定枠材１８ａに設けられ、隣り合うパネルユニット１０ｂのパネル１２ｂと間隙をおいて、自身のパネル１２ａを支持する。前記パネルユニット１０ｂ〜１０ｄの各パネル受け材も、前記パネル受け材２０ａと同様の構成としている。
【００１４】
前記止水キャップ２２は、例えばゴム等の弾性材料で構成される。止水キャップ２２は、隣り合う一方のパネル固定枠材１８ａの突起部２６ａ、他方のパネル固定枠材１８ｂの突起部２６ｂ、及びパネル固定枠材１８ａとパネル固定枠材１８ｂの間に生じるであろう間隙２８を覆うように、パネル固定枠材１８ａ，１８ｂに跨って装着される。止水キャップ２２は、挟持部３０を備える。
ここで、挟持部３０は、隣り合う一方のパネル固定枠材１８ａの突起部２６ａの相対向する側壁、及び他方のパネル固定枠材１８ｂの突起部２６ｂの相対向する側壁をそれぞれしっかり挟持する。
【００１５】
なお、本実施例において、パネルユニット１０ａとパネルユニット１０ｃ間、パネルユニット１０ｂとパネルユニット１０ｄ間、パネルユニット１０ｃとパネルユニット１０ｄ間の構成も、前記パネルユニット１０ａとパネルユニット１０ｂ間の構成と同様の構成としている。
本実施例にかかるパネルユニット１０は概略以上のように構成され、以下にその作用について説明する。
【００１６】
従来は、各パネルユニットの側壁にリング状のパッキンを設け、隣り合うパネルユニットのパッキンを互いに押圧することにより、各パネルユニット間を密着させていたため、施工が面倒であった。また施工完了後であっても、各パネルユニット間の間隙にばらつきが生じたり、各パッキンがしっかりかみ合わないと、止水効果が落ちるので、各パネルユニット間の隙間の調整が必要であり、作業が大変であった。
これに対し、本実施例においては、弾性をもつ止水キャップ２２が、パネル固定枠材１８ａの突起部２６ａ、パネル固定枠材１８ｂの突起部２６ｂ、及びパネル固定枠材１８ａとパネル固定枠材１８ｂの間隙２８を外方より覆うように装着される。そして、挟持部３０が突起部２６ａの側壁、突起部の側壁２６ｂをそれぞれしっかり挟持するので、止水性の向上と施工性の向上を同時に図ることができる。
【００１７】
すなわち、止水キャップ２２は、装着時、外方よりパネルユニット１０ａとパネルユニット１０ｂに跨って被せるだけで、パネル固定枠材１８ａの突起部２６ａの側壁、及びパネル固定枠材１８ｂの突起部２６ｂの側壁と接触し、突起部２６ａ，２６ｂの進入方向に弾性変形し、パネル固定枠材１８ａの突起部２６ａの側壁、及びパネル固定枠材１８ｂの突起部２６ｂの側壁にぴったり密着するので、止水性が高い。
しかも、施工時、施工完了後、パネルユニット１０ａとパネルユニット１０ｂの間隙２８に多少のばらつきが生じても、そのばらつきが止水キャップ２２の弾性変形で吸収されるので、施工が容易となる。
【００１８】
＜パネル固定枠材，パネル受け材＞
図２には本実施例にかかるパネルユニットの分解図が示されている。
同図に示されるようにパネルユニット１０は、パネル固定枠材１８とパネル受け材２０の二重構造としている。そして、パネル固定枠材１８とパネル受け材２０の間には、ブチルゴムシート等よりなるパッキン４０を設けている。これによりパネル固定枠材１８とパネル受け材２０の間をぴったり密着させており、両者の密着性を高めることにより、止水性を高めている。
また本実施例においては、パネル固定枠材１８は、枠を構成する四の構成部材４１，４２，４３，４４で構成しており、各構成部材４１〜４４のコーナージョイント部、例えばコーナージョイント部４５をパネル固定枠材１８の基礎側より止水処理しておくことにより、止水性を高めている。
【００１９】
また予めパネル固定枠材１８、パネル受け材２０を工場等で組立ておけば、現場では、パネル固定枠材１８の基礎１６への設置、パネル受け材２０のパネル固定枠材１８への設置、止水キャップ２２の設置等を行うだけで、パネルユニット１０の施工が完了するので、現場での施工性を大幅に向上することができる。
またパネル固定枠材１８と基礎１６の間には、ブチルゴムシート等よりなるパッキン４６を設けている（図１（Ｂ）参照）。これによりパネル固定枠材１８と基礎１６の間をぴったり密着させており、両者の密着性を高めることにより、止水性を高めている。
【００２０】
＜止水キャップ＞
以下、止水キャップのより具体的な構成について説明する。
図３には止水キャップ２２の詳細な構成が示されている。なお、同図（Ａ）は未装着状態の止水キャップ、同図（Ｂ）は装着状態の止水キャップである。
【００２１】
（１）施工性、止水性
本実施例において、同図（Ａ）に示されるように止水キャップ２２は、弾性をもつ略管体で構成された本体５０を含む。挟持部３０は、仕切部５２ａ，５２ｂと、接触部５４，５６と、を含む。
ここで、本体５０は、略管体の側壁の長手方向に沿って、パネル固定枠材の突起部の差込口となるスリット５８が形成されている。
また仕切部５２は、本体５０の内壁にて、スリット５８と対向する位置に設けられ、本体５０内を一方の突起部側６０と他方の突起部側６２に仕切る。
接触部５４，５６は、スリット５８を形成する本体５０の側壁に相当する。
【００２２】
この結果、止水キャップ２２は、同図（Ｂ）に示されるようなパネル固定枠材への装着時、その突起部２６ａ，２６ｂに接触し弾性変形する。したがって、パネルユニットとパネルユニットの間隙２８や形状等のばらつきがあっても、止水キャップ２２の弾性変形で吸収されるので、施工性が向上される。
しかも、本体５０の一方側の接触部５４及び仕切部５２の一方側５２ａで、一方のパネル固定枠材の突起部２６ａの相対向する側壁をしっかり挟持する。かつ本体５０の他方側の接触部５６及び仕切部５２の他方側５２ｂで、他方のパネル固定枠材の突起部２６ｂの相対向する側壁をしっかり挟持しており、止水性も同時に向上される。
【００２３】
（２）脱落防止
本実施例の止水キャップ２２は、施工性と止水性に優れているが、特に止水性を確実に維持するためには、止水キャップ２２の脱落防止に対する対策も重要である。
そこで、本実施例においては、各パネル固定枠材の突起部２６ａ，２６ｂの側壁、及び止水キャップ２２の仕切壁５２には、装着完了時、互いにかみ合う位置に段部（固定材側段部）６４ａ，６４ｂ、及び段部（キャップ側段部）６６ａ，６６ｂを設けており、止水キャップ２２の脱落を防いでいる。
この結果、本実施例においては、止水キャップ２２による止水効果を確実に維持することができる。
【実施例２】
【００２４】
図４には止水キャップの変形例が示されている。なお、同図（Ａ）は未装着状態の止水キャップ、同図（Ｂ）は装着状態の止水キャップである。
（１）施工性、止水性
同図（Ａ）に示されるように止水キャップ１２２は、本体側ヒレ状体１７０ａ，１７０ｂと、仕切側ヒレ状体１５２ａ，１５２ｂを備える。
本体側ヒレ状体１７０ａ，１７０ｂは、本体１５０の内壁にて、それぞれ接触部１５４，１５６よりも奥に、その先端部を突起部の進入方向に傾けて設けている。
仕切側ヒレ状体１５２ａ，１５２ｂは、仕切部１５２の両側に対してそれぞれ、先端部を突起部の進入方向に傾けて設けられている。
そして、同図（Ｂ）に示されるように止水キャップ１２２をパネル固定枠材に装着する際、本体１５０の接触部１５４，１５６、及び本体側ヒレ状体１７０ａ，１７０ｂの先端部が、パネル固定枠材の突起部１２６ａ，１２６ｂの側壁に接触しぴったり密着している。
【００２５】
ここで、本体１５０は、その接触部１５４，１５６が互いに横方向に離隔するように弾性変形し、本体側ヒレ状体１７０ａ，１７０ｂの先端部が突起部１２６ａ，１２６ｂの進入方向に弾性変形する。止水キャップ１２２の装着完了時、本体側ヒレ状体１７０ａ，１７０ｂは、その先端部が突起部１２６ａ，１２６ｂの進入方向に弾性変形した状態で、パネル固定枠材の突起部１２６ａ，１２６ｂの側壁にぴったり密着している。
しかも、仕切側ヒレ状体１５２ａ，１５２ｂの先端部は、突起部１２６ａ，１２６ｂの側壁に接触し、突起部１２６ａ，１２６ｂの進入方向に弾性変形する。
止水キャップ１２２の装着完了時、仕切側ヒレ状体１５２ａ，１５２ｂは、その先端部が突起部１２６ａ，１２６ｂの進入方向に弾性変形した状態で、パネル固定枠材の突起部１２６ａ，１２６ｂの側壁にぴったり密着している。
【００２６】
この結果、本体１５０の接触部１５４及び本体側ヒレ状体１７０ａと、仕切側ヒレ状体１５２ａで、パネル固定枠材の突起部１２６ａの相対向する側壁をしっかり挟持している。本体１５０の接触部１５６及び本体側ヒレ状体１７０ｂと、仕切側ヒレ状体１５２ｂで、パネル固定枠材の突起部１２６ｂの相対向する側壁をしっかり挟持している。したがって、本実施例も、前記実施例１と同様、止水性の向上と施工性の向上を同時に図ることができる。
【００２７】
（２）脱落防止
本実施例の止水キャップ１２２は、前記実施例１と同様、施工性、止水性に優れているが、特に止水効果を確実に維持するためには、止水キャップ１２２の脱落防止に対する対策も重要である。
そこで、本実施例においては、一方のパネル固定枠材の突起部１２６ａの側壁、及び他方のパネル固定枠材の突起部１２６ｂの側壁に、それぞれ段部（固定材側段部）１６４ａ，１６４ｂが設けられている。また止水キャップ１２２の仕切部１５２の両側には、装着完了時、前記各パネル固定枠材の段部１６４ａ，１６４ｂとかみ合う位置に、段部（キャップ側段部）１６６ａ，１６６ｂを設けている。
この結果、本実施例においては、止水キャップ１２２が装着方向とは反対方向に遊びの距離だけ動くが、それ以上動く力がかかっても、止水キャップ１２２の段部１６６ａ，１６６ｂが各パネル固定枠材の段部１６４ａ，１６４ｂに当るので、それ以上、装着方向とは反対方向に動かない。
【００２８】
したがって、本実施例においては、装着完了後は、止水キャップ１２２の不要な抜けを確実に防ぐことができるので、止水キャップ１２２による止水効果を確実に維持することができる。
なお、前記各構成では、本実施例のパネルを外壁パネルに用いた例について説明したが、屋根に用いることも好ましい。
また前記止水キャップ２２，１２２、前記各パッキン４０，４６の材質は選択可能であり、特にゴムが好ましいが、本発明はこれに限定されるものではなく、例えばアルミニウム、ステンレス等の金属も強度に優れている点で好ましい。
【図面の簡単な説明】
【００２９】
【図１】本発明の一実施例にかかるパネルユニットの概略構成の説明図である。
【図２】前記図１に示したパネル固定枠材、パネル受け材の外観斜視図である。
【図３】実施例１において特徴的な止水キャップの説明図である。
【図４】実施例２において特徴的な止水キャップの説明図である。
【符号の説明】
【００３０】
１０ａ，１０ｂ  パネルユニット
１２ａ，１２ｂ  パネル
１８ａ，１８ｂ  パネル固定枠材（固定材）
２０ａ，２０ｂ  パネル受け材（受け材）
２２，１２２  止水キャップ
２４ａ，２４ｂ  ジョイント部
２６ａ，２６ｂ  突起部
【図１】
2005139726.tif 000003
【図２】
2005139726.tif 000004
【図３】
2005139726.tif 000005
【図４】
2005139726.tif 000006